(57)【要約】 【課題】  有効な波長による遠赤外線効果と、放射線ホルミシス効果と、マイナスイオン効果との相乗効果が得られると共に、ゆったりした室内体操もできる健康増進用空間施設を提供する。【解決手段】  空間（Ｓ）の所定位置に遠赤外線放射ユニット（Ａ）を、そして床部に低線量放射ユニット（Ｂ）を配置する。遠赤外線放射ユニット（Ａ）は、断熱箱体（１）と、麦飯石（４、４、…）と、麦飯石を加熱するヒータ（５）と、遠赤外線を空間（Ｓ）の所定位置へ向け反射する反射板（８）とから構成する。低線量放射ユニット（Ｂ）は、所定厚さに床状に敷き詰めあれた斑状花崗閃緑岩（１０）と、その上の畳、コーンマット等の敷物（１１）とから構成する。【選択図】 図１
2007319427.tif 000002
【特許請求の範囲】
【請求項１】
断熱箱体と、該断熱箱体内に収納されている所定大きさに加工された遠赤外線放射石と、収納されている遠赤外線放射石を６００〜８００℃に加熱する加熱源と、遠赤外線を所定方向に反射する反射板とからなる遠赤外線放射ユニットと、
所定大きさの放射線放射石と、所定厚さに敷き詰められた前記放射線放射石の表面を覆う敷物とからなる低線量放射ユニットの、２種の異なるユニットを備え、
前記遠赤外線放射ユニットは、所定広さの空間の所定位置に配置され、前記遠赤外線放射石から放射される遠赤外線は前記反射板により前記空間の所定方向に向けて放射されるようになっており、
前記低線量放射ユニットは、前記空間を構成している床部に配置され、
前記遠赤外線放射ユニットと前記低線量放射ユニットの上記配置によって、遠赤外線と低レベルの放射線とマイナスイオンとで満たされる所定広さの空間が確保されていることを特徴とする健康増進用空間施設。
【請求項２】
請求項１に記載の施設において、遠赤外線放射石が内蒙古産の麦飯石であり、それが煉瓦状の直方体あるいは立方体にセラミック加工された複数個からなる、ことを特徴とする健康増進用空間施設。
【請求項３】
請求項１または２に記載の施設において、放射線放射石が空間の熱を吸収して間接的に加熱される、あるいは遠赤外線放射石を加熱する熱源とは別の第２の加熱源により直接的に４０〜５０℃に加熱されることを特徴とする健康増進用空間施設。
【請求項４】
請求項１〜３のいずれかの項に記載の施設において、放射線放射石が小石状の、あるいは所定大きさに破砕加工された斑状花崗閃緑岩で、それが１０〜１００ｍｍの厚さに敷き詰められていると共に、敷物が畳またはコーンマットであることを特徴とする健康増進用空間施設。
【請求項５】
請求項１〜４のいずれかの項に記載の施設において、加熱源が４０〜５０℃の空間温度になるように制御されると共に、異常時には警報器が作動することを特徴とする健康増進用空間施設。
【請求項６】
請求項１〜５のいずれかの項に記載の施設において、加熱源が作動している状態およびマイナスイオンが発生している状態を表示することを特徴とする健康増進用空間施設。
【請求項７】
請求項１〜６のいずれかの項に記載の施設において、加熱源が３相２００ボルトの電源またはガスヒータであることを特徴とする健康増進用空間施設。
【発明の詳細な説明】
【技術分野】
【０００１】
本発明は、遠赤外線放射石からなる遠赤外線放射ユニットと、放射線放射石からなる低線量放射ユニットの２種の異なるユニットを備えた健康増進用空間施設に関するもので、さらに限定して言えば、遠赤外線放射石が麦飯石からなり、そして放射線放射石が斑状花崗閃緑岩からなる健康増進用空間施設に関するものである。
【背景技術】
【０００２】
薪炭等は１，０００℃程度で燃焼するが、このとき赤外線と共に、例えば４．０〜１４μｍの波長の遠赤外線も放射される。このような遠赤外線は育成光線とも呼ばれ、次のような健康増進と共に、心地よい癒し効果が得られることが知られている。
（１）血液の循環の円滑化による新陳代謝機能の活性化作用
（２）イオン作用による自浄作用
（３）悪臭の根源になる汗等を除去する消臭作用
（４）人体に堆積された有害重金属を体外に排出する発汗作用あるいはデドックス作用
（５）体表面を適正な湿度に維持する乾湿作用
（６）細胞の分子、原子を振動させて体内の有害物質を排出させる共鳴、共振、運動作用
【０００３】
一方、ラジウム鉱石、モナズ石等からは低線量の放射線が放射されるが、このような低線量の放射線により、生理機能の刺激効果すなわち放射線ホルミシス効果が得られる。さらに詳しく説明すると、放射線ホルミシスとは高線量では有害な放射線が低線量では生物活性を刺激する現象、あるいは適応応答と呼ばれる後続の高線量照射に対する抵抗性を誘導するなどの現象を指すが、刺激あるいはストレス反応は、生物、細胞のもつ基本的な特性の一つで、刺激が繰り返されると刺激に抵抗性をもつようになる。このような適応応答あるは放射線ホルミシス現象は、多数の非特許文献１〜３により報告されているように、分子、細胞から個体レベル、さらには疫学データにおよぶ多岐にわたる系で検出されている。そして、細胞増殖の促進、免疫能の亢進、成長促進、疾病抑制、がん発生率や死亡率の低下、その他多様な効果が認められている。
【０００４】
【非特許文献１】大山ハルミ、山田武著：低線量放射線の健康影響−放射線ホルミシスPADIOISOTOPES vol．４６（１９９７）
【非特許文献２】国連科学委員会、放射線医学総合研究所（監訳）：国連科学委員会（UNSCEAR）１９９４年報告書、付属書、放射線の線源と影響、「細胞および生物における放射線に対する適応応答」、実業公報社（１９９６）
【非特許文献３】電力中央研究所  原子力技術研究所  低線量放射線研究センター：報告書「Ｉ型糖尿病モデルマウスの糖尿病発症および抗酸化物質に及ぼす線量率の効果」（２００３年）
【０００５】
また、天然の岩石あるいは鉱石からは、上記のような遠赤外線と共にマイナスイオンも放出されている。マイナスイオンは、身体細胞を活性化する作用を奏し、このマイナスイオンにより健康増進あるいはリラックス効果も得られる。
【０００６】
上記のように天然の岩石、鉱石、鉱物等からも赤外線と共に、遠赤外線、マイナスイオン、放射線等の各種の線が放射されるが、これらの線種は古来より色々利用されている。例えば、秋田県の玉川温泉では温泉熱で加温された北投石の上に敷物を敷き、その上に横たわって放射線ホルミシスによる治療あるいは保養する、いわゆる岩盤浴が行われている。また、鳥取県の三朝温泉では大量に含まれているラジウムから放射される微量の放射線による体細胞の活性化、自然治癒力の向上等を図る温泉療法が行われている。なお、鉱物学的にいえば、現在では上記した北投石という鉱物種は存在せず、鉛を含んだ重晶石の変種で、分析の結果微量のラジウムやトリウムが含まれているので、放射線を放出していると考えられている。
【０００７】
ところで、最近の健康志向から、これらの岩石あるいは鉱物から放射される上記のような各種線を積極的に利用しようとする試みがなされ、人工的な岩盤浴装置、浴室装置等が特許文献により色々提案されている。
【０００８】
【特許文献１】特開２００４−１３００４７
【特許文献２】特開２００５−２４５６３１
【特許文献３】特開２００５−３０５０７０
【特許文献４】特開２００５−２８７６０７
【特許文献５】特開２００５−０３０７５１
【０００９】
特許文献１により、トルマリン鉱石を珪砂入りのモルタルでベッド状あるいは椅子状に固めた岩盤浴用ベッドが提案されている。また、特許文献２には、ラジウムを含む湯ノ花からなるセラミックスを寝床状に敷き詰めた岩盤浴装置が示され、特許文献３により、人が横たわることができる大きさの石板に複数個の穴を開け、これらの穴に薬草を固化したフイルタ、あるいは薬草の粉末を埋め込んだ岩盤浴用の石板が提案されている。
【００１０】
一方、特許文献４により温熱浴室装置が提案されている。この温熱浴室装置は、放射線、遠赤外線およびマイナスイオンを放射する天然石が収納されている鉱石マットと、この鉱石マットが敷設された床面を加熱するための温水循環管と、浴室の上部から水をイオン化して噴霧するイオン化ノズルとから構成されている。また、特許文献５により、天然放射性稀有元素（ラジウム鉱石）を通過させた水を、超音波振動子により霧化して空気中へ放出する空気清浄器が提案されている。
【発明の開示】
【発明が解決しようとする課題】
【００１１】
上記特許文献１に記載されている岩盤浴用ベッドによると、床暖房程度の低い温度にトルマリンを加熱するだけで、マイナスイオン、遠赤外線等が放射されるので、岩盤浴用ベッドの上に横たわるだけで、遠赤外線により発汗作用が促される効果および汗と共に、排出される老廃物をマイナスイオンにより中和する効果は認められる。また、特許文献２により提案されている岩盤浴装置によると、湯ノ花セラミックスからはラドンを含む不活性ガスすなわちラドンガスが発生するので、湯ノ花からなるセラミックスの岩盤上に寝るだけで、ラドンガスは身体の皮膚面から体内へ浸入して体内を循環し、そして皮膚組織、神経系等を刺激し、ラジウムと同様な放射線ホルミシス効果が得られる。さらに、特許文献３に記載の岩盤浴用の石板によると、上記したようなマイナスイオン効果、遠赤外線効果、放射線ホルミシス効果等が得られると共に、薬草の成分を浴びることができ、健康増進効果が認められる。
【００１２】
また、特許文献４、５により提案されている温熱浴槽装置あるいは空気浄化器によると、放射線を放射する天然石が使用されているので、あるいはラジウム鉱石を通過させた水を霧化して噴霧するようになっているので、放射線ホルミシス効果は得られる。
【００１３】
しかしながら、上記従来の装置には改良すべき問題点もある。例えば、上記特許文献１〜３に示されている岩盤浴装置は、トルマリン、セラミックス、岩板等の上に人が直接接触した状態で横たわるようになっているので、これらの石を加熱する温度は必然的に低くなり、線量は少なくなる。特に、育成光線として有効な波長９．４μｍすなわち人体のもつ固有の波長と共振する波長の遠赤外線の放出量が少ないという問題がある。このように、有効な波長の遠赤外線の放射量が少ないので、発汗作用によるデトックス効果を得るためには長時間浴びなければならなくなる。また、発汗作用を促進するための家庭用の塗料、遠赤外線ヒータ等も提案されているが、これらから放射される線量は少なく、前述したような遠赤外線による十分な効果は得られない。さらには、これらの提案されている装置は横たわって静止状態で浴びるようになっているので、少ない放射量と相まって、十分な発汗作用を得るには時間がかかる欠点もある。
また、特許文献４に記載されている装置によると、遠赤外線による効果と、マイナスイオン効果の他に放射線ホルミシス効果も一応認められるが、鉱石マットは温水で加熱するようになっているので、温度が低く前述したような有効な波長の遠赤外線の放射量が少ないという問題がある。また、放射線、遠赤外線およびマイナスイオンを放射する天然石は、同じ鉱石マットに入れられ、そして同じ温度に加熱され、それぞれの鉱石のもつ最適温度に加熱されるようにはなっていない。したがって、これらの鉱石のもつ機能が充分に生かされているとはいえない。また、特許文献５により提案されている空気浄化器は、放射線ホルミシス効果が得られるだけの単機能装置で、前述したような遠赤外線による効果はない。
【００１４】
本発明は、上記したような従来の問題点を解決した健康増進用空間施設を提供しようとするもので、具体的には、有効な波長による遠赤外線効果と、放射線ホルミシス効果と、マイナスイオン効果とによる相乗効果が得られると共に、ホットヨガ、テレビ体操のようなゆったりした室内体操もでき、それによって上記のような効果が一層の増強される健康増進用空間施設を提供することを目的とている。
【課題を解決するための手段】
【００１５】
本発明は、上記目的を達成するために、遠赤外線放射ユニットと低線量放射ユニットの、２種の異なるユニットが目的とする空間に適用される。遠赤外線放射ユニットは、遠赤外線放射石からなっている。遠赤外線放射石には、色々な岩石あるいは鉱石が適用可能である。例えば、麦飯石、韓国の月岳山の地層から産出するミネラル成分に優れ電気石とも呼ばれマイナスイオンも放出する波動石、玄武火山岩、イオン発生トルマリン、御影石（花崗岩）、クリストパライト、ゼオライト、蛇紋岩、祖母光石（HOLY STONE）等が適用可能である。しかしながら、昭和４９年厚生省より「漢方薬石」として認可されている麦飯石が望ましい。天然の麦飯石は、鉱物学的には、SiO２、Al２O２、Fe２O３、CaO、Na２O、K２O等から構成されている。このような麦飯石は岐阜県美濃白川でも産出するが、本発明では好ましくは内蒙古より輸入される麦飯石が適用される。モンゴル産の麦飯石は、遠赤外線の放射量が大きいからである。あるいは、このモンゴル産の麦飯石から立方形あるいは方形に切削加工され、そして焼成セラミックス化された遠赤外線放射石が適用される。
【００１６】
上記のような遠赤外線放射石は、加熱源とし電気ヒータあるいはガスヒータが設けられている炉すなわち断熱箱体に収納される。そして、６００〜８００℃に上記加熱源により加熱される。このような温度に加熱することにより、人体のもつ固有の波長と共振する９．４μｍ程度の波長の遠赤外線が大量に放射される。また、このような温度に加熱することにより、空間の中心部の温度は４０〜５０℃になり、場所によっては６０〜７０℃になる。遠赤外線放射石は、上記したように６００〜８００℃に加熱されるが、空間の中心位置における温度が４０〜５０℃になるようにも制御される。このような温度の制御は、望ましくは比例制御またはオン・オフ制御である。
【００１７】
適用される麦飯石の量あるいは大きさ、加熱源の容量等は、前記の２種のユニットが適用される空間の広さにより決定されるが、例えば１１５５平方メートル（３５坪）の空間に適用されるときは、縦、幅及び厚さが２００×１５０×８０ｍｍに加工された麦飯石が２０〜３０個適用される。また、ガスヒータで加熱することもできるが、温度制御が比較的容易な３相２００ボルトの１０〜１５Ｋｗの電気ヒータで加熱される。このように構成されている遠赤外線放射ユニットは、空間の隅あるいは側部、または中心部の所定位置に配置され、そして遠赤外線は望ましくは不錆鋼で形成されている反射板により空間の中央部に向けられる。遠赤外線放射ユニットが空間の中央部に配置されるときは、四方へ反射される。上記のような遠赤外線放射ユニットは比較的大型であるが、軽量小型のユニットを複数個用意し、これを適宜選択的に使用するように実施することもできる。
【００１８】
低線量放射ユニットを構成している放射線放射石としては、斑状花崗閃緑岩、秋田県の玉川温泉の岩石、モナズ石、トリウム鉱石等を挙げることができる。本発明では、望ましくは山形県内で採掘される斑状花崗閃緑岩が適用される。この斑状花崗閃緑岩は、花崗岩と閃緑岩の中間の深成岩で、角せん石、斜長石および石英からなり微量の放射線を放射する。モナズ石は、花崗岩ペグマタイト中に産するリン酸塩鉱物でウランやトリウムを含んでいて弱い放射線を放出する。これらの放射線放射石の小石状のものはそのまま、採掘された岩石状のものは所定大きさに破砕加工され、そして望ましくは１０〜１００ｍｍの厚さに床上に敷き詰められる。敷き詰められた放射線放射石の上には畳、コーンカーペット等の敷物で覆われる。このように敷き詰められている放射線放射石は、遠赤外線放射ユニットから放射される熱により加温されている空間の熱を吸収して間接的に所定温度、例えば４０〜５０℃になっている。あるいは、敷き詰められている放射線放射石の下面等に配置されている例えば面状のカーボンヒータあるいは温水等の別の加熱源により、４０〜５０°の温度に加熱される。これにより、マイナスイオンが効果的に放射される。
【００１９】
本発明は、上記のように構成されている遠赤外線放射ユニットは、所定広さの空間の隅あるいは側部に配置されれる。あるいは空間の中央部に配置される。また、低線量放射ユニットは床部に配置される。このような配置により、空間を軽い体操等にも有効に利用できる。さらには、本発明は、前記目的を達成するために、コントローラも備えている。このコントローラにより、加熱源の温度、作動時間等が設定され、また空間の温度が例えば４０〜５０℃になるように、比例制御あるいはオン・オフ制御される。さらには、システムの異常時には警報器が作動し、遠赤外線、マイナスイオン等の発生状況も表示器に表示される。特開２００５−６３７１４、同２００５−６３７１４、同２００６−４８３６等に示されているようなマイナスイオン発生器を備えているときは、このマイナスイオン発生器の作動時間も設定でき、作動している状態も表示されるようになっている。
【００２０】
かくして、請求項１に記載の発明は、上記目的を達成するために、断熱箱体と、該断熱箱体内に収納されている所定大きさに加工された遠赤外線放射石と、収納されている遠赤外線放射石を６００〜８００℃に加熱する加熱源と、遠赤外線を所定方向に反射する反射板とからなる遠赤外線放射ユニットと、所定大きさの放射線放射石と、所定厚さに敷き詰められた前記放射線放射石の表面を覆う敷物とからなる低線量放射ユニットの、２種の異なるユニットを備え、前記遠赤外線放射ユニットは、所定広さの空間の所定位置に配置され、前記遠赤外線放射石から放射される遠赤外線は前記反射板により前記空間の所定方向に向けて放射されるようになっており、前記低線量放射ユニットは、前記空間を構成している床部に配置され、前記遠赤外線放射ユニットと前記低線量放射ユニットの上記配置によって、遠赤外線と低レベルの放射線とマイナスイオンとで満たされる所定広さの空間が確保されるように構成される。請求項２に記載の発明は、請求項１に記載の施設において、遠赤外線放射石が内蒙古産の麦飯石であり、それが煉瓦状の直方体あるいは立方体にセラミック加工された複数個からなるように、請求項３に記載の発明は、請求項１または２に記載の施設において、放射線放射石が空間の熱を吸収して間接的に加熱される、あるいは遠赤外線放射石を加熱する熱源とは別の第２の加熱源により直接的に４０〜５０℃に加熱されるように、請求項４に記載の発明は、請求項１〜３のいずれかの項に記載の施設において、放射線放射石が小石状の、あるいは所定大きさに破砕加工された斑状花崗閃緑岩で、それが１０〜１００ｍｍの厚さに敷き詰められていると共に、敷物が畳またはコーンマットであるように、請求項５に記載の発明は、請求項１〜４のいずれかの項に記載の施設において、加熱源が４０〜５０℃の空間温度になるように制御されると共に、異常時には警報器が作動するように、請求項６に記載の発明は、請求項１〜５のいずれかの項に記載の施設において、加熱源が作動している状態およびマイナスイオンが発生している状態を表示するように、そして請求項７に記載の発明は、請求項１〜６のいずれかの項に記載の施設において、加熱源が３相２００ボルトの電源またはガスヒータであるように構成される。
【発明の効果】
【００２１】
以上のように、本発明によると、所定の空間に遠赤外線放射ユニットと低線量放射ユニットと２種の異なるユニットが配置され、遠赤外線放射ユニットの遠赤外線放射石は６００〜８００℃に加熱されているので、人体に固有な波長と同じような波長の遠赤外線あるいは育成光線が大量に放射される。また、低線量放射ユニットの放射線放射石は空間の熱を吸収して、あるいは別の加熱源により４０〜５０°に加熱されているので、低量の放射線と共に、効果的にマイナスイオンが放出される。したがって、本発明によると、所定の空間は人体に固有の波長と略同じ９．４μｍのような波長の遠赤外線、低線量放射線、マイナスイオン等で満たされる。人がこの空間に入ると、遠赤外線、マイナスイオン、低線量の放射線を同時に浴びることができる。これにより、前述したような遠赤外線効果、マイナスイオン効果、放射線ホルミシス効果等の各種の効果が同時に得られる。このとき、上記のような各種の線が満たされている空間は、所定広さになっているので、この空間で読書は勿論のもとホットヨガ、テレビ体操等の軽い運動もできる。これにより、上記のような効果が増強される効果、特に発汗作用あるいは有害金属が排出されるデドックス効果が一層増強されるという本発明に特有の効果が得られる。
また、他の発明によると、遠赤外線放射石が内蒙古産の麦飯石またはこの麦飯石を焼成してセラミックス化した遠赤外線放射石であるので、より多くの遠赤外線を浴びることができる。また、グレー色である麦飯石は焼成してセラミックス化すると、ピンク色に輝くようになるので、美的効果も得られる。
【発明を実施するための最良の形態】
【００２２】
以下、本発明の実施の形態を説明する。図１は、本発明の実施の形態を模式的に示す側面図であるが、この図を参照すると本発明に係わる健康増進用空間施設は、遠赤外線放射ユニットＡと、低線量放射ユニットＢとを備え、これらのユニットＡ，Ｂが一つの空間Ｓの異なる位置に配置されて、所定の空間Ｓが構成されているとが容易に理解される。
【００２３】
遠赤外線放射ユニットＡは、移動可能な加熱炉あるいは断熱箱体１を備えている。断熱箱体１は、底壁２と周壁３、３とから箱状に形成され、上方は発生する遠赤外線が出やすいように開放されている。そして、断熱箱体１の内部に本実施の形態では麦飯石４、４、…と、ヒータ５とが設けられている。麦飯石４、４、…には、本実施の形態では内蒙古産の麦飯石が適用される。鉱山から切り出された麦飯石は所定大きさに切断され、そして表面は従来周知の研磨機により研磨される。そうすると、表面が滑らかになると共に、角が取れる。または、上記の内蒙古産の麦飯石は煉瓦状に切断され、表面が研磨されたのちに、加熱炉で加熱してセラミックス化される。セラミックス化することにより灰色の麦飯石はピンク色になる。このように加工された所定数の麦飯石４、４、…が、本実施の形態では内側にヒータ５が設置できるように、積み上げられている。
【００２４】
ヒータ５は、図示の実施の形態では柱状の絶縁体６と、この絶縁体６に巻き付けられている電気抵抗ヒータ７とからなっている。電気抵抗ヒータ７は、後述するコントローラにより制御される。上記のように構成されている断熱箱体１の周壁３の一つに反射板８が着脱自在に取り付けられている。反射板８は、望ましくは鏡面仕上げされたステンレス（登録商標）鋼板から側面が略円弧状を呈するように形成されている。反射板８は、断熱箱体１の後方の側壁３から側方へ多少出ている。これにより、麦飯石４、４、…から乱放射される遠赤外線が横方向の空間Ｓにも広がることになる。あるいは、反射面は遠赤外線が空間Ｓいっぱいに広がるように乱反射する構造例えばランダムな鋸の歯形状に形成されている。上記のように断熱箱体１、麦飯石４、４、…等から構成されている遠赤外線放射ユニットＡは、麦飯石４、４、…を取り出して容易に移動させることができる。
【００２５】
低線量放射ユニットＢは、空間Ｓの床部を構成するもので、図示の実施の形態では、所定厚さに敷き詰められている斑状花崗閃緑岩１０と、その上に敷かれている厚めの畳、コーンマット等の敷物１１とからなっている。また、必要に応じて上記のように敷き詰められた斑状花崗閃緑岩１０を４０〜５０℃に加熱するための例えば面状のカーボンヒータが設けられるが、図１には示されていない。
【００２６】
本実施の形態によると、コントローラも備えている。そして、このコントローラにより、ヒータ５の温度、作動時間等が設定され、またヒータ５は空間Ｓの温度が４０〜５５℃になるように、オン・オフ制御されるようになっている。さらには、システムの異常時には警報器が作動し、遠赤外線、マイナスイオン等の発生状況も表示器に表示されるようになっている。
【００２７】
次に、上記実施の形態の作用について説明する。遠赤外線ユニットＡを空間Ｓの隅の望ましい位置にセットする。また、低線量放射ユニットＢを床部にセットする。あるいは、床部に斑状花崗閃緑岩１０を敷き詰め、その上に敷物１１を敷く。これにより、図１に示されているように遠赤外線ユニットＡと低線量放射ユニットＢにより健康増進用空間Ｓが構成される。図示されないコントローラにヒータ５の運転時間、発熱温度等を適宜設定する。さらには、マイナスイオン発生器が設けられているときは、この作動時間も設定する。所定時間経過すると、麦飯石４、４、…は、ヒータ５の温度よりも多少低い温度に加熱され、遠赤外線を放射するようになる。また、マイナスイオンも発生する。空間Ｓは、麦飯石４、４、…から放射される熱により、４０〜５０℃になる。空間Ｓの温度がこのような温度になるように、ヒータ５はコントローラによりオン・オフ制御される。
【００２８】
斑状花崗閃緑岩１０は、空間Ｓの熱を吸収して、あるいは別途設けられているヒータにより加熱され、空間Ｓの温度４０〜５０℃と略等しくなり、低量放射線と共にマイナスイオンを放射している。
【００２９】
本実施の形態によると、麦飯石４、４、…は、６００〜８００℃に加熱されているので、人体に固有な波長９．４μｍに近い波長の遠赤外線が大量に放射される。また、斑状花崗閃緑岩１０からは、秋田県の玉川温泉と略同じレベルの低量放射線すなわちβ線（電子）が１１００〜１５００個／ｃｃ宛放出される。さらには、４０〜５０℃になっている斑状花崗閃緑岩からはマイナスイオンも放出される。これにより、空間Ｓは遠赤外線、低量放射線、マイナスイオン等により満たされ、空間Ｓ内に人Ｍ、Ｍ、…が入ると、前述したような有効な波長による遠赤外線効果と、低量の放射線による放射線ホルミシス効果と、マイナスイオン効果とが同時に得られる。このとき、麦飯石４、４、…は断熱箱体１内に納められているので、麦飯石４、４、…から赤外線は直接放出されない。したがって、空間Ｓ内は４０〜５０℃になっているが、湿度は低くさわやかである。空間Ｓ内でリラックスした状態で１５〜２０分も過ごすと、大量の汗が出てデトックス効果が得られる。また、ホットヨガ、テレビ体操のようなゆったりした室内体操をすることにより、発汗作用は大きくなりデトックス効果は一層高められる。ダイエット効果も得られる。また、低量の放射線を浴びることにより、前述したような細胞増殖の促進、免疫能の亢進、成長促進、疾病抑制、がん発生率や死亡率の低下等の諸々の効果が得られる。
【図面の簡単な説明】
【００３０】
【図１】本発明の実施の形態を示す模式的に示す側面図である。
【符号の説明】
【００３１】
Ａ      遠赤外線放射ユニット        Ｂ      低線量放射ユニット
１      断熱箱体                    ４      麦飯石  
５      ヒータ                      ８      反射板    
１０      斑状花崗閃緑岩            １１      敷物
【図１】
2007319427.tif 000003